(57)【要約】本発明は、データ信号が連続画像から構成されて各々の画像が画素の群から構成される、データ信号の動き補償による補間方法であって、デジタル信号において一の画像の第１の画素の群と他の画像の第２の画素の群との間に動きベクトルを生成する段階（１８）であって、各々の動きベクトルは前記一の画像の画素の群に対応する、動きベクトルを生成する段階と、これらの動きベクトルの関数として補間結果を生成する段階（１６）と、から構成される。本発明にしたがって、特定の画素の群に対応する各々の動きベクトルの信頼性が評価され（２０）、動きベクトルの信頼性の関数として重み付けが演算され、そして、これらの重み付けに基づいて、補間結果の重み付け平均を演算することにより補間画像のために画素の群の補間光度が生成される。
2004518339.tif 000002
【特許請求の範囲】
【請求項１】
データ信号の動き補償による補間方法であり、データ信号は連続画像から構成され、各々の画像は画素の群から構成される、データ信号の動き補償による補間方法であって：
デジタル信号において一の画像の第１の画素の群と他の画像の第２の画素の群との間に動きベクトルを生成する段階であって、各々の動きベクトルは前記一の画像の画素の群に対応する、動きベクトルを生成する段階；
これらの動きベクトルの関数として補間結果を生成する段階；
特定の画素の群に対応する各々の動きベクトルの信頼性を評価する段階；
動きベクトルの信頼性の関数として重み付けを演算する段階；及び
これらの重み付けに基づいて、補間結果の重み付け平均を演算することにより補間画像のために画素の群の補間光度を生成する段階；
から構成される、方法。
【請求項２】
請求項１に記載の方法であって、画素の群の補間光度は
【数１】
2004518339.tif 000060
により演算され、ここで、
【外１】2004518339.tif 000061
は補間画像Ｆｋ＋Δの画素の群の補間光度であり、画像における画素の群の位置は整数の二次元ベクトル
【外２】2004518339.tif 000062
により規定されて実数値Δが画像シーケンスＦｎ（ここで、ｎ＝１，２，．．．，ｋ，ｋ＋１，．．．，Ｎ）の補間画像Ｆｋ＋Δの位置を規定するところであり、Σｍ＝１，．．．，Ｍ｛．｝は項｛．｝における１〜Ｍの和であって
【外３】2004518339.tif 000063
はｍ番目の補間結果
【外４】2004518339.tif 000064
に対応する重み付けであり、
【外５】2004518339.tif 000065
は
【数２】
2004518339.tif 000066
により演算され、ここで、ｍｅｄｉａｎ｛．｝は入力項のメジアン値を与える関数であってｒｏｕｎｄ｛．｝はその入力項の各々の成分に最も近い整数値を与える関数であり、そして
【外６】2004518339.tif 000067
は画像Ｆｋにおける位置
【外７】2004518339.tif 000068
における画素の群の光度であり、そして、
【外８】2004518339.tif 000069
は位置
【外９】2004518339.tif 000070
における画素の群に対応するＭ個の動きベクトルのｍ番目の二次元整数動きベクトルであって２つの連続画像間で規格化され、そして重み付け
【外１０】2004518339.tif 000071
は動きベクトル
【外１１】2004518339.tif 000072
の信頼性の関数である、方法。
【請求項３】
請求項２に記載の方法であって、動きベクトル
【外１２】2004518339.tif 000073
の信頼性は光度
【外１３】2004518339.tif 000074
及び
【外１４】2004518339.tif 000075
の間の違いの関数であり、そして信頼性はまた画像Ｆｋにおける位置
【外１５】2004518339.tif 000076
の隣における
【外１６】2004518339.tif 000077
の発生の相対頻度の関数である、方法。
【請求項４】
請求項１に記載の方法であって、本発明にしたがった補間光度の生成は、画像の動きベクトル場におけるエッジが位置するデータ信号の画像の一部においてのみ実行される、方法。
【請求項５】
請求項４に記載の方法であって、前記方法はエッジ検出の段階から構成され、画像Ｆｋの動きベクトル場におけるエッジは次の不等式（Ｃ１）及び（Ｃ２）のうち少なくとも１つを満足する場合に検出され、
【数３】
2004518339.tif 000078
【数４】
2004518339.tif 000079
ここで、ｑは所定の整数値であり、｜｜．｜｜はその入力項の絶対値を生成する関数であり、［．］ｐはそのベクトル入力項のｐ番目の成分を生成する関数であり、Ｔは所定の実数値の閾値であり、
【外１７】2004518339.tif 000080
は
【数５】
2004518339.tif 000081
の式で与えられるベクトルであり、ここで、Ｋ１及びＫ２は整数値である。
【請求項６】
データ信号の動き補償による補間のための装置であり、データ信号は連続画像から構成され、各々の画像は画素の群から構成される、データ信号の動き補償による補間のための装置であって：
デジタル信号において一の画像の第１の画素の群と他の画像の第２の画素の群との間に動きベクトルを生成する段階であって、各々の動きベクトルは前記一の画像の画素の群に対応する、動きベクトルを生成するための手段；
これらの動きベクトルの関数として補間結果を生成するための手段；
特定の画素の群に対応する各々の動きベクトルの信頼性を評価するための手段；
動きベクトルの信頼性の関数として重み付けを演算するための手段；及び
これらの重み付けに基づいて、補間結果の重み付け平均を演算することにより補間画像のために画素の群の補間光度を生成するための手段；
から構成される、装置。
【請求項７】
ピクチャ信号表示装置であって：
データ信号が連続画像から構成され、各々の画像が画素の群から構成される、データ信号を受け取る手段；
請求項６に記載した前記データ信号の動き補償による補間のための装置；
前記補間光度に基づいて少なくとも１つの補間画像を生成する手段；及び
少なくとも１つの補間画像を表示するための手段；
から構成される、ピクチャ信号表示装置。
【発明の詳細な説明】
【０００１】
（技術分野）
本発明はデータ信号の動き補償による補間に関わり、そのデータ信号は連続画像から構成されて各々の画像は画素の群から構成され、データ信号において一の画像の第１の画素の群と他の画像の第２の画素の群との間で動きベクトルが生成されて各々の動きベクトルは前記一の画像の画素の群に対応し、そして補間結果はこれら動きベクトルの関数として得られる。更に、本発明は、データ信号を受け取るための手段から構成されるピクチャ信号表示装置、及びこのデータ信号の動き補償による補間のための装置に関わる。
【０００２】
（背景技術）
米国特許第５，７７７，６８９明細書は、画像の画素の各々の群について少なくとも２つの動きベクトルを演算することについて記載している。次いで、各々の動きベクトルについて補間結果が演算される。最終的に、このようにして得られた補間結果の平均を求め、補間画像が最終的に生成される。その方法の不利な点は、補間画像におけるハローの影響の範囲が大きくなることである。このハローの影響は、動いているものの境界において主に発生する欠陥（ぼやけ及び／またはレンズの拡大の影響）によるものであり、データ信号の動き補償による補間画像における正しくない動きベクトル及び／または正しくない補間方法（オクルージョン（ｏｃｃｌｕｓｉｏｎ）問題を考慮していない）に原因するものである。画像をみる者にとってハローの影響は迷惑なものである。
【０００３】
（発明の概要）
本発明の目的は、データ信号の補間画像におけるハローの影響の範囲を減少させる動き補償による補間を提供することである。それ故、本発明は、動き補償による補間であって：所定の画像の群に対応する各々の動きベクトルの信頼性を評価する段階；動きベクトルの信頼性の関数として重み付けを演算する段階；及び、これらの重み付けに基づいて、補間結果の重み付け平均を演算することにより補間画像のための画素の群の補間光度を生成する段階；から更に構成される。
【０００４】
従属請求項において好適な実施形態を明確にしている。
【０００５】
動きベクトルの信頼性は動きベクトルの正確さの関数とすることが可能である。動きベクトルの正確さは、動きベクトルに基づいて予測される光度の違いにより決定され、動きベクトルは、第２画像における第２の画素の群及び第２画像の第２の画素の群の実際の光度のために、第１画像の第１の画素の群に割り当てられる。動きベクトルの信頼性はまた、第１の画素の群の隣の画素の群における動きベクトルの発生の相対的頻度の関数とすることが可能である。一般に、第１の画素の群の第１画像には８つの隣接する画素の群が存在する。動きベクトルの信頼性はまた、動きベクトルの正確さとその相対的発生率の両者の関数とすることが可能である。
【０００６】
各々の補間結果について、補間結果を生成した動きベクトルの信頼性の関数として重み付けを演算する。各々の画素の群は複数の動きベクトルを割り当てられるため、これは複数の補間結果及びそれに対応する画素の群当たりの重み付けをもたらす。
【０００７】
結局、画素の群の補間光度は、補間結果の信頼性に基づく補間結果の重み付け平均として演算される。この方法はいくつかの重要な優位点を提供する。この第１の例は、複数の動きベクトルの中でただ１つの動きベクトルが適切である状況である。次いで、補間結果はこの動きベクトルに対応し、この補間結果がその画素の群の補間光度を決定付けるように、大きな重み付けが割り当てられる。その結果、画素の群の補間光度についての高い正確さが得られ、ハローの影響によるリスクが現れることなく、ピクチャの精細な詳細部を示すことが可能である。本発明にしたがった方法の優位点の第２の例は、動きベクトルの何れもが適切でないとする状況である。この状況において、複数の動きベクトルは大きな相違を示し、動きベクトルの何れに対して大きな重み付けを割り当てられない。この影響は、画素の群の補間光度が補間結果に対してスムーズな平均となって現れる。この場合、精細な詳細部はまったく現れず、ピクチャはぼやけてしまう。しかしながら、みる者からすれば、ぼやけたピクチャは間違ったちらつきがある細部が示される場合に比べてより魅力的である。そのようにして、上述の２つの例において、ハローの影響は低減される。
【０００８】
本発明の方法の実施形態は、画素の群の補間光度が次式に従って演算されることにおいて特徴がある。
【０００９】
【数６】
2004518339.tif 000003
ここで、
【００１０】
【外１８】
2004518339.tif 000004
は補間画像ＦＫ＋Δの画素の群の補間光度であり、実数Δは画像シーケンスＦｎ（ここで、ｎ＝１，２，．．．，ｋ，ｋ＋１，．．．，Ｎ）における補間画像Ｆｋ＋Δの位置を規定する。一般に、Δは０〜１の中の実数である。更に、式（Ｉ）において、画像における画素の群の位置は整数の二次元ベクトル
【００１１】
【外１９】
2004518339.tif 000005
により規定され、Σｍ＝Ｉ，．．．，Ｍ｛．｝は項｛．｝における１〜Ｍまでの和であり、
【００１２】
【外２０】
2004518339.tif 000006
はｍ番目の補間結果
【００１３】
【外２１】
2004518339.tif 000007
に対応する重み付けである。ｍ番目の補間結果
【００１４】
【外２２】
2004518339.tif 000008
は、例えば、次式の補間方法に従って演算される。
【００１５】
【数７】
2004518339.tif 000009
ここで、ｍｅｄｉａｎ｛．｝は入力項のメジアン値を与える関数であってｒｏｕｎｄ｛．｝はその入力項の各々の成分に最も近い整数値を与える関数であり、
【００１６】
【外２３】
2004518339.tif 000010
は画像Ｆｋにおける位置
【００１７】
【外２４】
2004518339.tif 000011
における画素の群の光度であって
【００１８】
【外２５】
2004518339.tif 000012
は画像Ｆｋにおける位置
【００１９】
【外２６】
2004518339.tif 000013
における画素の群に対応するｍ番目の整数の二次元動きベクトルのＭ個の動きベクトルであり、ｍ番目の動きベクトルは２つの連続画像間で規格化され、
【００２０】
【外２７】
2004518339.tif 000014
は動きベクトル
【００２１】
【外２８】
2004518339.tif 000015
の信頼性の関数である。この実施形態において、補間（ＩＩ）は２つの連続画像ＦｋとＦＫ＋１の間で実施され、非常に正確な補間画像Ｆｋ＋Δを導く。式（ＩＩ）のメジアン関数の実施は、更に、補間における誤りによってちらつく細部についてのリスクを低減する対策になっている。
【００２２】
本発明の更なる実施形態は、動きベクトル
【００２３】
【外２９】
2004518339.tif 000016
の信頼性即ち重み付けが光度
【００２４】
【外３０】
2004518339.tif 000017
と
【００２５】
【外３１】
2004518339.tif 000018
との間の違いの関数であり、また、画像Ｆｋの位置
【００２６】
【外３２】
2004518339.tif 000019
の隣における
【００２７】
【外３３】
2004518339.tif 000020
の発生の相対頻度の関数である、ことにおいて特徴的である。この方法において、動きベクトルの信頼性は２つの成分から構成される。第１の成分は動きベクトルの正確さであり、少なくとも２つの連続画像の少なくとも２つの光度に基づいて設定される。第２成分は一貫性であり、少なくとも１つの画像における動きベクトルの相対的発生に基づいて設定される。
【００２８】
更に他の実施形態において、本発明の方法は、本発明の方法にしたがった画素の群の補間光度の生成は、動きベクトル場のエッジが位置するデータ信号の画像におけるそれらの部分のみにおいて実施される、ことにおいて特徴的である。このことは、本発明にしたがった補間がハローの影響が最もありそうな画像の部分のみにおいて実施される優位性に導く。これは処理時間を短縮する。
【００２９】
本発明の更なる実施形態は、エッジを検出する段階から構成される方法であることに特徴があり、次の不等式（ＩＩＩ）及び（ＩＶ）のうち少なくとも１つを満足する場合に、画像Ｆｋにおけるエッジが検出される。
【００３０】
【数８】
2004518339.tif 000021
【００３１】
【数９】
2004518339.tif 000022
ここで、ｑは所定の整数であり、｜｜．｜｜はその入力項の絶対値を生成する関数であり、［．］ｐはそのベクトル入力項のｐ番目の成分を生成する関数である。更に不等式（ＩＩＩ）及び（ＩＶ）において、Ｔは所定の固定された実数の閾値であり、
【００３２】
【外３４】
2004518339.tif 000023
は
【００３３】
【数１０】
2004518339.tif 000024
で与えられるベクトルであり、ここで、Ｋ１及びＫ２は整数値である。本発明のこの実施形態において、不等式（ＩＩＩ）及び（ＩＶ）を用いて、同じ画像の同じ種類の動きベクトル間に現れる不連続性によりエッジが規定される。
【００３４】
本発明の上述の及び他の特徴は、以下に詳述する実施形態から、及びそれに関連して、明らかになるであろう。
【００３５】
（発明の詳細な説明）
本発明にしたがった動き補償による補間方法において、データ信号は画像シーケンスＦｎ（ｎ＝１，２，．．．，ｋ，ｋ＋１，．．．，Ｎ）から構成される。データ信号は、各々の画像がピクチャである映画とすることが可能である。図１において、そのようなデータ信号２が、画像Ｆ１、Ｆｋ、Ｆｋ＋１及びＦＮにより模式的に示されている。更に、画像Ｆｋ＋Δが示されている。この画像は、例えば、Ｆｋ及びＦｋ＋１を補間することにより得られる。実数値Δは、画像のシーケンスにおいて補間がぞうの相対位置Ｆｋ＋Δを規定する。
【００３６】
図２は、更に詳細に画像Ｆｋを示す。各々の画像は画素により構成されている。画素４は、特定の光度を与えられる画像の最も小さい要素である。多くの画素は画素の群６（またはブロックと呼ばれる）を成し、画素の群（ブロック）におけるこの画素の数は予め規定され、０より大きい任意の整数とすることが可能である。画像における特定の画素の群の位置は二次元整数ベクトル
【００３７】
【外３５】
2004518339.tif 000025
により表され、画素の群６の
【００３８】
【外３６】
2004518339.tif 000026
の成分ｘ１及びｘ２は図２に示される。各々の画素の群は特定の光度を有する。画像Ｆｋにおける位置
【００３９】
【外３７】
2004518339.tif 000027
における画素の群の光度は
【００４０】
【外３８】
2004518339.tif 000028
である。データ信号２の補間に対して、動きベクトル
【００４１】
【外３９】
2004518339.tif 000029
８を設定しなければならない。これらの動きベクトルは、連続画像間で規格化される二次元整数ベクトルである。動きベクトル
【００４２】
【外４０】
2004518339.tif 000030
は画像Ｆｋの位置
【００４３】
【外４１】
2004518339.tif 000031
における画素の群に割り当てられ、画像Ｆｋ＋１において対応する光度の位置を予測する。複数のＭ個の動きベクトル
【００４４】
【外４２】
2004518339.tif 000032
を各々の画素の群に割り当てることが可能であるため、動きベクトルはｍ＝１，２，．．．，Ｍのように番号がつけられる。
【００４５】
第１段階において、特定の画像に対して、画像の各々の画素の群について、動きベクトルを演算する。次いで、第２段階において、各々の画素の群は、前の段階において隣接する画素の群にすでに割り当てられた動きベクトルもまた割り当てられる。更に、この例においては、最も近い隣接する８つの画素の群のみを用いる。本発明の他の実施形態においては、隣接する画素の群の数及び相対的位置を、この例と異なるように選択することも可能である。
【００４６】
この段階において、各々の画素の群は複数の動きベクトルを割り当てられる。第３段階において、各々の動きベクトルの信頼性を演算する。動きベクトルの信頼性は動きベクトルの正確さの関数とすることが可能である。動きベクトルに基づいて予測される光度の違いにより動きベクトルの正確さを決定することが可能であり、第２画像における第２の画素の群及び第２画像における第２の画素の群の実際の光度のために、第１画像の第１の画素の群に動きベクトルが割り当てられる。動きベクトルの信頼性はまた、第１の画素の群に隣接する画素の群における動きベクトルの発生の相対的頻度の関数とすることが可能である。一般に、第１の画素の群の第１画像には８つの隣接する画素の群が存在する。動きベクトルの信頼性はまた、動きベクトルの正確さ及びその相対的な発生率の両者の関数とすることが可能である。
【００４７】
第４の段階は画像間の補間から構成される。画素の群に関連する各々の動きベクトルについて、原則として、この補間を実行する。各々の動きベクトルは補間結果を提供し、動きベクトルの信頼性に基づいて演算される重み付けを各々の補間結果に提供する。
【００４８】
最後に、第５段階において、その重み付けにしたがって補間結果は平均化され、補間光度
【００４９】
【外４３】
2004518339.tif 000033
を生成する。これらすべての補間光度は共に補間画像Ｆｋ＋Δを規定する。
【００５０】
上述のような補間方法を、次に示す式を用いて詳細に説明する。画像Ｆｋの対応する画素の群のＭ個の動きベクトルについて、画像Ｆｋ＋Δに対する補間結果
【００５１】
【外４４】
2004518339.tif 000034
を演算する。
【００５２】
【外４５】
2004518339.tif 000035
に対応するｍ番目の補間結果
【００５３】
【外４６】
2004518339.tif 000036
は、例えば次式により与えられる。
【００５４】
【数１１】
2004518339.tif 000037
ここで、ｍｅｄｉａｎ｛．｝はその入力項のメジアンを与える関数であり、ｒｏｕｎｄ｛．｝は入力項の各々の成分に対する最も近い整数値を与える関数である。式（ＶＩ）においてメジアン関数を選択する理論的根拠について以下に説明する。光度
【００５５】
【外４７】
2004518339.tif 000038
及び
【００５６】
【外４８】
2004518339.tif 000039
の両者が動いているものに対応し、それ故、その動いているものが２つの画像Ｆｋ及びＦｋ＋１において可視的でなければならない場合、式（ＶＩ）の第１及び第３項は共に略同じ値をとるであろう。したがって、光度
【００５７】
【外４９】
2004518339.tif 000040
は、これら２つの値のうち１つをとり、式（ＶＩ）の好適な出力となる。しかしながら、Ｆｋ及びＦｋ＋１の画像のうち少なくとも１つにおいて動いているものが可視的でない（例えば、画像のピクチャの背景により覆われることによる）場合、第１及び第３項は異なる光度の値をとり得る。この場合、２つの連続画像のピクチャ間では一貫性がなく、この状況を操作する最もよい方法は極端な光度が生じないようにすることである。これは、Ｆｋ及びＦｋ＋１において動いているものの２つの光度のメジアン値（式（ＶＩ）の第１及び第３入力項）と、位置
【００５８】
【外５０】
2004518339.tif 000041
における画素の群の画像Ｆｋ及びＦｋ＋１についての光度の平均（式（ＶＩ）の第２項）とを、選択することにより、行うことが可能である。
【００５９】
この段階において、各々の動きベクトル
【００６０】
【外５１】
2004518339.tif 000042
に対して、補間結果
【００６１】
【外５２】
2004518339.tif 000043
は式（ＶＩ）にしたがって得られる。更に、ｍ番目の補間結果
【００６２】
【外５３】
2004518339.tif 000044
に対応する相対的重み付け
【００６３】
【外５４】
2004518339.tif 000045
は動きベクトルの信頼性に基づいて演算される。これと共に、画像Ｆｋ＋Δについて導き出される補間光度
【００６４】
【外５５】
2004518339.tif 000046
は次式により演算されることが可能である。
【００６５】
【数１２】
2004518339.tif 000047
ここで、Σｍ＝Ｉ，．．．，Ｍ｛．｝は項｛．｝における１〜Ｍまでの和である。
【００６６】
本発明の進化した実施形態において、動きベクトルの信頼性は、２つの成分、即ち、その正確さと一貫性と、の関数である。
【００６７】
【外５６】
2004518339.tif 000048
の正確さは光度
【００６８】
【外５７】
2004518339.tif 000049
及び
【００６９】
【外５８】
2004518339.tif 000050
の間の違いの関数である。
【００７０】
【外５９】
2004518339.tif 000051
の一貫性は画像Ｆｋにおける位置
【００７１】
【外６０】
2004518339.tif 000052
の隣における
【００７２】
【外６１】
2004518339.tif 000053
の発生の相対頻度の関数である。この方法により、動いているものの大きさに関連する動きベクトルの正確さは、画素の群において測定され、少なくとも２つの連続画像からの光度を比較することにより評価される。動きベクトルの一貫性は、少なくとも１つの画像の情報に基づいて評価される。
【００７３】
本発明にしたがった更に発展させた実施形態において、本発明にしたがった補間光度の生成は、動きベクトル場におけるエッジが検出される場合に、データ信号の一部のみにおいて機能する。通常、動きベクトル場における平面領域、即ちエッジのない領域についての補間は面倒な補間エラーを生じない、それ故、画像のこれら一部において従来の補間方法を用いることが可能である。
【００７４】
本発明の更に発展させた実施形態における方法はエッジ検出の段階から構成され、次の不等式（ＶＩＩＩ）及び（ＩＸ）のうち少なくとも１つを満足する場合、（動きベクトル場）画像Ｆｋにおいてエッジが検出される。
【００７５】
【数１３】
2004518339.tif 000054
【００７６】
【数１４】
2004518339.tif 000055
ここで、ｑは所定の整数値であり、｜｜．｜｜ は入力項の絶対値を生成する関数である。更に、［．］ｐは、そのベクトルの入力項のｐ番目の成分を生成する関数であり、この例において、ｐは１または２である。実数値Ｔは所定の閾値であり、
【００７７】
【外６２】
2004518339.tif 000056
は二次元整数ベクトルであり、次式により与えられる。
【００７８】
【数１５】
2004518339.tif 000057
ここで、Ｋ１及びＫ２は整数値である。２つ以上の動きベクトルが画素の群に割り当てられる（Ｍ＞１）場合、不等式（ＶＩＩＩ）及び（ＩＸ）におけるｑ（１≦ｑ≦Ｍ）のために整数値を選択することにより、特定の動きベクトルをその画素の群のために選択しなければならない。［１，０］Ｔ方向のエッジの検出について、可能な手続きは、Ｋ１が０に等しくなく、Ｋ２が０に等しくなるように選択することである。［１，０］Ｔ方向のエッジは、Ｋ１が０に等しく、Ｋ２が０に等しくない場合に検出されることが可能である。
【００７９】
図３は、データ信号２の動き補償による補間のための装置１０についての実施形態の模式図である。その装置の入力１２はデータ信号２であり、出力１４は画像Ｆｋ＋Δのために補間光度を提供する。入力１２はブロック１６及びブロック１８に供給される。ブロック１６において、式（ＶＩ）にしたがった補間結果及び（ＶＩＩ）にしたがった補間光度が演算される。ブロック１８においては、各々の画素の群についての第１の動きベクトルが演算される。次いで、ブロック１８において、周囲の画素の群から生成する第２動きベクトルの所定数が各々の画素の群に割り当てられる。これにより、画素の群当たりの動きベクトルＭの総和が導かれる。次いで、各々の動きベクトル
【００８０】
【外６３】
2004518339.tif 000058
が対応するブロック２０．ｍに供給され、このブロックにおいて動きベクトルの信頼性が演算される。続いて、各々のブロック２０．ｍ（ここで、ｍ＝１，．．．，Ｍ）により、動きベクトル
【００８１】
【外６４】
2004518339.tif 000059
及びその評価済み信頼性がブロック１６に供給される。
【００８２】
更に、本発明の目的は、データ信号２を受け取るための手段から構成されるピクチャ信号表示装置に、補間画像を生成するための手段１６を含む補間光度を生成するための装置１０と、更には少なくとも１つの補間画像をもつ前期データ信号を保管するための手段２２及び表示装置Ｄと、を備えることを目的とする。
【００８３】
本発明の主旨から逸脱せずに、具体的に図に示して詳述した内容から派生させるようにして本発明の実施が可能であることは、当業者にはよく理解されるであろう。例えば、上述の補間方法は連続的でない画像に基づくことが可能である。更に、３つ以上の画像を本補間方法に用いることが可能である。補間化光度に代えて外挿化（この場合、実数値Δは１以上または０未満である）のために本発明の方法及び／または装置を用いることは１つの選択肢である。したがって、上述の実施形態は例示であって本発明を限定するものではないこと、そして、当業者が本発明の請求項の範囲から逸脱することなく多くの変形の実施形態をデザインすることが可能であることは、注意すべきことである。請求項において、括弧内に用いられた符合は何れもその請求項を限定するものではないと理解されたい。本発明は、幾つかの分離した素子から構成されるハードウェア及び適切にプログラムされたコンピュータにより実施することが可能である。装置に関する請求項においては幾つかの手段を列挙したが、これら手段の幾つかはハードウェアにおいてまったく同一のものにより実施することが可能である。特定の手段が互いに異なる依存関係にある請求項において列挙されていることは単なる事実であるが、それらの手段を組み合わせて用いることに優位性がないことを意味するものではない。
【図面の簡単な説明】
【図１】
連続画像から構成されるデータ信号の透視図である。
【図２】
画像のデータ信号を示す図である。
【図３】
データ信号の動き補償による補間のための本発明にしたがった装置から構成される表示装置の概略図である。
【国際公開パンフレット】
2004518339.tif 000082
2004518339.tif 000083
2004518339.tif 000084
2004518339.tif 000085
2004518339.tif 000086
2004518339.tif 000087
2004518339.tif 000088
2004518339.tif 000089
2004518339.tif 000090
2004518339.tif 000091
2004518339.tif 000092
2004518339.tif 000093
2004518339.tif 000094
2004518339.tif 000095
2004518339.tif 000096
【国際調査報告】
2004518339.tif 000097
2004518339.tif 000098
2004518339.tif 000099